(57)【特許請求の範囲】
【請求項１】
テールアルメ工法に用いられているコンクリート板又は多数アンカー工法に用いられているコンクリート板又はＬ型擁壁の前壁又は倒立Ｔ型擁壁の前壁のいずれかに植栽孔を多数設け、この植栽孔の背面土側に背面土が植栽孔の中及び表側に流出しない為の目の大きさが５×５ｃｍ〜１０×１０ｃｍのネット（これをネットＡとする）を設け更にこのネットＡの網目から背面土が流出しない為の目の大きさが１×１ｃｍ〜２×２ｃｍのネット（これをネットＢとする）をネットＡと背面土との間に設け、このネットＢは自然に分解する生分解して植物の根の伸長と太径化を妨げないものであるか又は多数の穴のある植物の根の伸長と太径化を妨げない生分解シートをネットＡと背面土との間に用いるか又は自然に分解する根の伸長と太径化を妨げない麻布をネットＡと背面土との間に用いるか、いずれかの構成であり、植栽孔の表側から植栽孔に植物の根鉢を挿入して植物の根を背面土に生育させてコンクリート面を緑化させる植栽壁面体。
【発明の詳細な説明】
【技術分野】
【０００１】
本発明は、壁面の植栽構造に関する。
【背景技術】
【０００２】
ビルの屋上緑化は様々なものが提案され実用化されている一方壁面緑化はまだ開発段階である。土木でも壁面に植栽し外観的にまた地球温暖化防止上望ましい構造のものが求められている。すでにその一案として特許文献１のものを提案した。
【０００３】
【特許文献１】特願２０００−２０７５４４
【発明の開示】
【発明が解決しようとする課題】
【０００４】
前記のものは主に土留壁を対象とし壁体に開口部を設けこの中に植栽桝を挿入するものであるが構造が二重になりコストアップになる問題点があった。ただ背面にネットを使用しているのが重要な要素であった。
【課題を解決するための手段】
【０００５】
内側の植栽桝を無しにし、この代わりに根鉢状に固まったものを開口部に挿入するようにした。根鉢とは植物の根とその周りの土壌が固まったもので例えばビニールポットで苗を生育し、これらからビニールポットを取り除いた後の苗の根の部分とこの周りの土壌の固まったもの、のことである。背面にネットを使用することは特許文献１のものと同じである。
【発明の効果】
【０００６】
壁体に植栽するための開口部すなわち植栽孔を設けこの植栽孔の背面側に土砂が植栽孔に流入しないようにネットを設け反対側より植物の根鉢を挿入するもので植栽桝を使用しないから構造が二重でなくコストアップにならない。この工法はテールアルメ工法、Ｌ型擁壁及び倒立Ｔ型擁壁に適用できる。
【発明を実施するための最良の形態】
【０００７】
以下、本発明の実施の形態を図に基づいて説明する。
【０００８】
テールアルメ工法及び多数アンカー工法にプレキャストコンクリート板を用いる場合について図１に示す。以下プレキャストコンクリートを鉄筋で補強したものも含めて単にプレキャストコンクリートとする。プレキャストコンクリート板による壁体１に植栽孔２を設ける。植栽孔２の横断面形状は円形が主であるが任意でよい。この植栽孔２をつくるための型枠は、そのままにするか又は撤去する。そのままにする場合は現在一般に施工されている土留壁の排水孔のようになり、型枠の材料は塩ビ管である。撤去する場合はフェンスの支柱のボイドのように厚紙製円筒型枠を用い適宜撤去する。
【０００９】
壁体１の背面すなわち土砂のある側にネット３を用いる。これらの様子を図１の符号３に示す。ネット３を壁体１に取り付ける方法はいろいろあるがパテ状の接着剤を壁体１にネット３との接触予定面に塗りネット３を押しつける方法やＵ型に折れた、又釘をネット３の一部を挟んで壁体１のコンクリートにアンカーする方法がある。パテ状の接着剤の場合は、これを全面でなく例えば部分的に４ヶ所でもよい。これを図１の符号４の斜線部に示す。 又釘をアンカーする方法は壁体１の型枠を水平にしコンクリートを水平に打設し、このコンクリートが固まる前に又釘の先端を下にして壁体１のコンクリートに沈める。これを図２に示し符号５が又釘である。
【００１０】
次にサツキ、ツタ等の植物６の根鉢７を植栽孔２に挿入する。これを図３に示す。挿入する時期は壁体１を現地に設置後または設置前の工場でプレキャストコンクリート板を作った後または現地に設置する直前とする。
【００１１】
根鉢７の横断面形状は植栽孔２の横断面形状と同じとし、大きさは図３のようにやゝ小さめ、または同じ、またはやゝ大きめとし、大きめの時は根鉢７の弾力の範囲内で縮めて挿入する。根鉢７の長さは図３のＡのようにやゝ飛び出している場合は根鉢７の弾力の範囲内で縮めて挿入するか又は最初から同じ長さとする。
【００１２】
根鉢７を植栽孔２に挿入後、図４のように止め具８で止める。この数は任意でよいが通常は図４のように４個またはこれ以下でよい。植物６の根鉢７の大きさや、風の強さによる。止め具８の壁体１への取り付けは図５のように壁体１にインサート９を用いる。インサート９の壁体１への取り付けは壁体１のコンクリートが固まる前か、または後からドリルで穴をあけて取り付ける。インサート９にネジ１０を用いて止め具８を止める。止め具８の材料は合成樹脂、金属又は木とする。
【００１３】
次にネット３と根鉢７と背面土１１との関係について示す。図３および図１のように根鉢７と背面土１１とはこの間にネット３があるがネット３の目の部分で密着している。これにより背面土１１の養水分が毛細管現象により根鉢７に伝わり植物６は枯死しない。また背面土１１の土圧がネット３により止められるから背面土１１が大雨により大量の水分を含んだときに地震が起きても植栽孔２から土砂が土石流のように飛び出すことはない。また植物６の根はネット３の目を通して伸長し植物６は順調に生育する。この様子を図６に示す。
【００１４】
次にネット３の目の大きさと材質および補助資材について示す。目の大きさは１×１ｃｍ〜２×２ｃｍ程度でよい。通常の土砂の場合１×１ｃｍで又砂利混じり土砂の場合で２×２ｃｍで最初のみ少し細かい土が流出するが、あとは止まり使用上問題ない。
この１×１ｃｍ〜２×２ｃｍ目のネットをネットＢとする。また材質は合成樹脂または金属とする。植物６が長年、生育し根が太くなり、これ以上になることを考えると５×５ｃｍ〜１０×１０ｃｍまたはこれ以上必要になる。この５×５ｃｍ〜１０×１０ｃｍ目のネットをネットＡとする。このようにすると初期に土砂が流出するから大きい目のあるネット（ネットＡ）の背面土側すなわち土砂のある側に小さい目（ネットＢ）のある生分解ネットを重ねて使用するか又は背面土側に多数の穴のある生分解シート又は麻布の有機質で自然に分解するものを重ねて使用する。生分解させる速さは根の生育の速さを勘案して決める。
【００１５】
次に根鉢７および背面土１１の土について示す。土は自然の土または人工土壌に植物６の生育を助ける肥料要素、微量要素および有機物を加えたものとする。
【００１６】
次に壁体１の構成について示す。壁体１がテールアルメ工法の場合はプレキャプストコンクリートの単板を多数たて、よこに積み重ねて壁面を構築する。１枚の大きさは任意でよいが例えば１．６×１．６ｍとし各々上下左右の縁より８０ｃｍ中に入った所に植栽孔２を設けると、その数は４ヶとなり、このような単板を多数、上下方向に１．６ｍの１／２すなわち８０ｃｍずらして並べたものを図７に示す。植栽孔２が８０×８０ｃｍの方眼状に並び、ここにサツキ等を植栽する。または植栽孔２の配置を適正に変えてツタとサツキを混植する。又ツタやサツキ以外にも壁面の生育に適したものを植える。
【００１７】
別の実施例
前述のものは壁体１がテールアルメ工法でプレキャプストコンクリートの単板を多数たて、よこに積み重ねて壁面を構築するものでプレキャストコンクリート板にリブ付ストリップやアンカーバーを用いている。次にリブ付ストリップやアンカーバーを用いない壁体について示す。
【００１８】
リブ付ストリップやアンカーバーを用いない壁体として図８の（ａ）に示すＬ型擁壁の断面図又は（ｂ）に示す倒立Ｔ型擁壁の断面図に示すものがある。
【図面の簡単な説明】
【００１９】
【図１】本発明の壁体その他を説明するための背面図である。
【図２】又釘の使用状態を示す説明図である。
【図３】根鉢その他を説明するための断面図である。
【図４】止め具の使用状態を示す正面図である。
【図５】止め具の使用状態を示す断面図である。
【図６】植物の根の伸長状態を示す断面図である。
【図７】コンクリート単板を多数積み重ねた壁面の植栽孔を示す正面図である。
【図８】Ｌ型擁壁および倒立Ｔ型擁壁の各々の断面図である。
【符号の説明】
【００２０】
１  壁体
２  植栽孔
３  ネット
５  又釘
６  植物
７  根鉢
８  止め具
９  インサート
１０  ネジ
１１  背面土
【図１】
0004462570.tif 000002
【図２】
0004462570.tif 000003
【図３】
0004462570.tif 000004
【図４】
0004462570.tif 000005
【図５】
0004462570.tif 000006
【図６】
0004462570.tif 000007
【図７】
0004462570.tif 000008
【図８】
0004462570.tif 000009